(57)【要約】ゴルフクラブ装置、より詳しくは、パター（１）であり、ヘッド（２）および前記ヘッド（２）に取り付けられるシャフト（３）を有し、グリップを設けることが可能であって、前記シャフト（３）の長手方向軸（７）に垂直であり、かつ前記ヘッド（２）の長手方向軸（５）から約１２０センチメートルである回転軸（４）に関し、前記パター（１）が回転させられる場合、前記ヘッド（２）の質量慣性モーメントは、前記パター（１）の慣性モーメントの合計の７９パーセント未満を構成しており、および／又は、移動自在のウェイト（１１）を含むことが可能であり、かつ前記シャフトの長さによって分割されている前記シャフトの質量は、シャフトの長さが１メートル未満である場合、シャフトのメートル当たり、少なくとも１７０グラムであり、シャフトの長さが１メートル以上である場合、シャフトのメートル当たり、少なくとも１９０グラムである。
2005538759.tif 000002
【特許請求の範囲】
【請求項１】
ゴルフクラブ装置、より詳しくは、パター（１）であり、ヘッド（２）および前記ヘッド（２）に取り付けられるシャフト（３）を有し、前記シャフト（３）の自由端は、グリップを取り付け可能であって、
前記シャフト（３）の長手方向軸（７）に垂直であり、かつ前記ヘッド（２）の長手方向軸（５）から約１２０センチメートルである回転軸（４）に関し、前記パター（１）が回転させられる場合、前記ヘッド（２）の質量慣性モーメントは、前記パター（１）の慣性モーメントの合計の７９パーセント未満を構成しており、および／又は、
移動自在のウェイト（１１）を含むことが可能であり、かつ前記シャフトの長さによって分割されている前記シャフトの質量は、シャフトの長さが１メートル未満である場合、シャフトのメートル当たり、少なくとも１７０グラムであり、シャフトの長さが１メートル以上である場合、シャフトのメートル当たり、少なくとも１９０グラムである
ことを特徴とするゴルフクラブ装置。
【請求項２】
前記ヘッド（２）の質量慣性モーメントは、前記パター（１）の慣性モーメントの合計の３０パーセントと７５パーセントとの間を、構成することを特徴とする請求項２に記載のゴルフクラブ装置。
【請求項３】
前記シャフト（３）は、前記ヘッド（２）のボア（１２）に挿入され、前記ヘッド（２）と前記シャフト（３）と間の環状スペースに配置される弾性材料（１３）によって、前記ヘッド（２）に固定されることを特徴とする請求項１又は請求項２に記載のゴルフクラブ装置。
【請求項４】
移動自在のウェイト（１１）が、前記シャフト（３）に配置され、かつ、前記シャフト（３）に取り付けられるように設定されていることを特徴とする１つ以上の前記請求項に記載のゴルフクラブ装置。
【発明の詳細な説明】
【技術分野】
【０００１】
本発明は、ゴルフクラブ装置、より詳しくは、ホールに到る最後の距離において、ゴルフボールを打つために使用される、所謂パターに関する。
【背景技術】
【０００２】
パターは、比較的短い距離、代表的には数ミリメートルから約３０メートルの距離、ゴルフボールを打つために使用される。パターのクラブフェイスは、パターがボールを打つ際に、地面に対して略垂直となるように、設定されており、ボールは、地面に沿って回転する。
【０００３】
試合において使用されるゴルフクラブは、ゴルフゲームに適用されるルールに従った構成を有する必要がある。プレーヤが最適のストロークを達成するのを助けることが可能な技術的な解決策は、公知であるが、ルール集は、技術的な手段に関し、行動の限定された自由を許可する。
【０００４】
ゴルフクラブの既知の最適化に含まれる変形は、クラブフェイスの角度、クラブヘッドの質量および形状、シャフトの質量、形状および剛性、シャフトの取付け位置に対するクラブヘッドの重心位置、ボールを打つためのフェースの位置するポイント等である。
【０００５】
パットを打つ際において最も重要な点は、適切な初期速度および方向を得られるようにボールを打って、ホールに正確に到達させることである。初期速度は、３つの条件、つまり、ボールを打つ際のクラブヘッドの速度、パターの有効な質量、およびクラブヘッドのフェースにおけるヒットポイントの位置に、影響を受ける。
【０００６】
パターの有効な質量を与えるものは、クラブヘッドの速度およびヒッティングポイントを制御し、優れたパットと十分でないパットとを区別するプレーヤの能力である。クラブからボールへのエネルギの最大伝達は、クラブヘッドのフェースにおけるヒッティングポイントが、クラブヘッドの重心の方向にある場合に、達成される。軽微な変位を有し、優秀なプレーヤが、ヒッティングポイントを正確に置く一方、他のプレーヤは、ストローク毎に、それが同一となるように練習する。したがって、訓練をうけたプレーヤにとって、最大のチャレンジは、クラブヘッドのための適切な速度を達成し、ボールが適切な初期速度を得ることである。
【０００７】
手首の回転によってパットが実行される場合、プレーヤは、シャフトの自由端において、クラブを両手で把持し、自己の真正面でクラブを保持する一方、前方に向かって頭部を、下に向ける。手首の回転によって、クラブは、手首の回転の略水平軸に関して回転させられ、ストロークは、背中および肩部位の移動なしで、実行される。パットが、脊柱の回転によって、実行される場合、手首の回転の場合に対応するように、クラブは握持されるが、ストローク運動は、脊柱に関する上体の回転によって、達成される。クラブは、脊柱のトップの高さにおける略水平軸に関して回転する。経験豊かなゴルフプレーヤは、脊柱の回転によって、パットを実行するのを好む。手首パットは、初心者の中では、より一般的である。
【０００８】
パットは、通常、ごくわずかなエネルギしか要求せず、訓練をうけたプレーヤにおけるストローク能力の小さい部分が、係わっている。たいてい、パットは、非常に低いクラブ速度で、実行される。ストロークのエネルギ伝達を、調整することは難しい。ストロークのパターの安定性を増加させるために、既知のパターは、軽量のシャフトおよび比較的重いクラブヘッドを有しており、開発は、クラブヘッドをより重くする方向にある。パターのクラブヘッドは、２５０〜５００グラムの質量を有し、代表的なシャフトは、１００〜１２０グラムの質量を有する。クラブヘッドの質量の増加は、安定効果を有するが、ゴルフボールの適切な初期速度を達成することは、なお困難である。重いクラブヘッドは、ボールに対する有効な質量伝達エネルギの増加を意味し、打つ瞬間における微小な速度差であっても、ボールの初期速度における顕著な差を生成するという事実によって、これは、引き起こされる。
【発明の開示】
【０００９】
本発明の目的は、改良型のパターを提供することである。
【００１０】
本目的は、下記の説明および以下の特許請求の範囲において詳述される特徴によって実現される。
【００１１】
本発明に係るパターは、既知のパターと比較し、大きい質量を有するシャフトによって、あるいは、既知のパターと比較し、定義される回転軸に関するパターの質量慣性モーメントのより大きい部分を前記シャフトが構成し、かつより小さい部分を前記クラブヘッドが構成することと、既知のパターと比較し、単位長さ当たり質量が大きいシャフトとのどちらか一方によって、安定される。
【００１２】
本発明の第１実施の形態に係るパターは、クラブヘッドが提供される。当該クラブヘッドは、平均的あるいは小さい質量を有しており、回転軸に関するパターの質量慣性モーメントに占めるクラブヘッドの部分は、既知のパターと比較し、パターの質量慣性モーメントの合計において、より小さい部分を構成する。
【００１３】
本発明の第２実施の形態に係るパターは、既知のパターが有するものと比較し、単位長さ当たり、より大きな質量を有するシャフトが提供される。
【００１４】
回転軸に関して回転している質点の慣性モーメントは、質点と回転軸との間の距離の２乗と、質点の質量との積によって定義される。本体部が回転軸に関して回転する場合、本体部の各質点は、それ自身の方向に従うため、回転軸の距離は、１つの質点から別の質点に関し、変化する。軸に関し回転する本体部の慣性モーメントの算出のための、十分に成熟した式のセットが存在しており、これは、当業者に良く知られている。したがって、慣性モーメントおよびそれと関連する算出のための理論的基礎は、さらに詳細には、説明されない。
【００１５】
本発明に係るパターは、任意の質量のクラブヘッドを有することが可能である。代表的なパターは、２２５〜３５０グラムの範囲の質量を有するクラブヘッドと、１５０〜１５００グラムあるいはそれ以上の範囲の質量を有するシャフトとを有することができる。シャフトの自由端には、既知の方法で、５６〜１４１グラムの範囲の質量を有するグリップが、配置される。本発明の第１実施の形態に係り、シャフトに対して垂直な回転軸に関してクラブが回転し、かつクラブヘッドから約１２０センチメートルの距離がある場合、クラブヘッドは、クラブの慣性モーメントの８０パーセント未満を構成する。シャフトは、移動自在の質量を設けることが可能であり、例えば、シャフトを取り囲む管状スリーブの形態で構成され、前記スリーブは、クラブヘッドからの所望の距離で、取り付けられるように設定される。慣性モーメントにおけるクラブの部分は、それによって、プレーヤのストローク技術に対し、調整することが可能である。
【００１６】
実際上、回転軸に関するパターの慣性モーメントにおけるクラブヘッドの部分は、３０および７５パーセントの間にあることが可能である。これは、既知のパターとかなり異なっており、示されるように、回転軸に関してクラブが回転させられる場合、クラブヘッドは、クラブの質量慣性モーメントにおいて、８０パーセント以上を構成する。
【００１７】
シャフトの質量は、材料の選択および寸法の設定によって決定することが可能である。また、付加的な質量を、ウェイトあるいは管状シャフトに対する充填材料の形態で、提供することも可能である。付加的な質量は、シャフトの長手方向に移動自在であり、例えば、移動自在ウェイトが、シャフト上あるいは管状シャフトの内部の一方に、配置される。回転軸に関するシャフトの慣性モーメントは、ウェイトの移動によって、好適な値に調整することが可能である。
【００１８】
本発明に係り、パターのヘッドとシャフトとの間の連結は、限定される弾力を有する連結として、有利に形成することが可能である。パターのヘッドがボールを打つ場合、前記弾性的連結は、主としてヘッドの質量が、ボールにその初期速度を与えることに寄与し、したがって、シャフトの質量は、より重要でない。
【００１９】
以上のように、本発明の目的は、本発明の第２実施の形態に係るパターによって、より詳しくは、単位長さ当たり質量が相対的に大きいシャフトによって、実現可能である。シャフトの質量の合計は、シャフトと、可能であれば移動自在のウェイトとを有する。より具体的には、シャフトの長さによって分割されるシャフトの質量の合計は、シャフトが１メートル未満の場合、シャフトのメートル当たり少なくとも１７０グラムであり、シャフトが１メートル以上の場合、シャフトのメートル当たり少なくとも１９０グラムである。
【発明を実施するための最良の形態】
【００２０】
本発明は、代表的な実施の形態および添付の図面を参照し、以下において、さらに詳細に説明される。
【００２１】
図１は、円筒状シャフトを有する一般化パターの斜視図を示している。
【００２２】
図２は、図１のパターの正面図を示している。
【００２３】
図３は、シャフトに移動自在のウェイトを有するパターの正面図を示している。
【００２４】
図４は、円錐状シャフトを有するパターの正面図を示している。
【００２５】
図５は、前面および拡大スケールにおける、パターヘッドおよびシャフトの一部に関する断面図を示している。
【００２６】
図１において、参照符号１は、ヘッドとヘッド２に取り付けられる円筒状シャフト３とを有する一般化パターを同定する。図１および図２は、パター１の質量慣性モーメントに関係する考察、および、ヘッド２とシャフト３との間においてどのように分割されるかを、証拠立てるために使用される。説明を単純化するために、下記の質量慣性モーメントの代わりに、慣性モーメントが使用される。シャフト１の自由端に、グリップが既知の方法で、配置されるが、これは、示されておらず、考察に幾分かの影響を及ぼすが、結果に対しては重要ではない。
【００２７】
図１および図２において、ヘッド２およびシャフト３は、塊状かつ直線的な円筒形形状に、単純化されており、パター１の慣性モーメントの下記の考察を単純化している。
【００２８】
ストロークにおいて、クラブヘッド２の軸５から約１２０センチメートル離れて位置する略水平の回転軸４に関して、パター１が回転される。ヘッド２の長さは、１２センチメートルとなるように選択され、その直径は、３センチメートルとなるように選択されている。非常に様々な形状の多くのヘッドが、知られている。一定の質量の場合、特定の寸法を有する円筒状形状は、長手方向軸に関し、低い慣性モーメントを有するパターヘッドを、意味する。回転軸４と、ヘッド２の長手方向軸５との間の距離は、プレーヤの身長およびプレイのやり方によって、変化する。
【００２９】
シャフト３の直径は、１センチメートルとなるように選択されている。シャフト３の長さは、８８センチメートルとなるように選択されており、３４インチに良好に対応している。
【００３０】
シャフト３の長さに沿った中間における横軸６は、したがって、回転軸４から７５センチメートルあり、また、クラブヘッドの軸５から４５センチメートルある。
【００３１】
一方、一般化パター１の構造は、回転軸４と、ヘッドの長手方向軸５と、シャフトの横軸６とが、シャフト３の長手方向軸７に対して垂直となるように、選択される。
【００３２】
ストロークにおいて、パター１は、図２の破線において示唆しているように、振り子のように略回転させられ、ヘッド２は円弧８を描き、シャフト３の自由端は円弧９を描き、シャフト３のセンタは円弧１０を描くこととなる。
【００３３】
シャフト３の質量は、既知のパターの代表的なもの考慮し、０．１５キログラムに設定されている。ヘッド２の質量は、パター１の慣性モーメントに対する大きな影響を有する。したがって、ヘッド２の質量の２つの値のために、ヘッド２とシャフト３との間の慣性モーメントの分割に注目することは、合理的であり、選択された値は、従来のパターにおける極端な値、つまり、０．２５および０．５キログラムを、それぞれ意味する。
【００３４】
スタイナーの定理によれば、回転軸４に関するヘッド２の慣性モーメントは、ヘッドの長手方向軸５に関するヘッド２の慣性モーメントと、回転軸４に関するヘッド２の重心の慣性モーメントとの合計によって、与えられる。同様に、回転軸４に関するシャフト３の慣性モーメントは、横軸６に関するシャフト３の慣性モーメントと、回転軸４に関するシャフト３の重心の慣性モーメントとの合計によって、与えられる。ヘッドのための指標ｈおよびシャフトための指標ｓを使用することで、慣性モーメントＩは、下記で与えられる式により表すことが可能であり、そこにおいて、文字ｍ、ｄ、ｌ、およびａは、質量、直径、長さ、および回転軸に対する距離を、それぞれ示している。
【００３５】
【数１】
2005538759.tif 000003
【００３６】
質量ｍｈ＝０．２５ｋｇを有する第１ヘッド２および質量ｍｈ＝０．５ｋｇを有する第２ヘッド２のために、数値ｄｈ＝３ｃｍ、ｌｈ＝１２ｃｍ、ａｈ＝１２０ｃｍｍを挿入する場合、既知のパター１に関し、回転軸４に関するヘッド２の慣性モーメントが、３６００〜７２００のｋｇｃｍ２の範囲にあることを、理解することが可能である。
【００３７】
同様に、シャフト３のために、ｄｓ＝１ｃｍ、ｌｓ＝８８ｃｍ、ａｓ＝７５ｃｍｍおよび質量ｍｓ＝０．１５ｋｇを、使用する場合、９４１ｋｇｃｍ２に等しい、回転軸４に関するシャフト３の慣性モーメントを与える。
【００３８】
したがって、既知のパターの慣性モーメントの合計Ｉ＝Ｉｈ＋Ｉｓは、ヘッド２の質量が０．２５〜０．５ｋｇである場合、４５４１〜８１４１ｋｇｃｍ２の範囲となる。そのため、ヘッド２は、慣性モーメントの合計の７９〜８８パーセントを構成する。
【００３９】
本発明に係るパター１のために、ヘッド２は、より小さな部位を構成し、かつ、シャフト３は、パター１の慣性モーメントの合計に関し、既知のパターの場合より、より大きな部分を占めることとなる。
【００４０】
例えば、シャフト３の質量を、０．１５ｋｇから０．２ｋｇまで増加させることによって、シャフト３の慣性モーメントと、回転軸４に関するパターの慣性モーメントの合計とは、共に増加する。ヘッド２の質量が０．２５ｋｇである場合、慣性モーメントの合計におけるヘッド２の部分は、７９から７４パーセントまで減少する。ヘッド２の質量が０．５ｋｇである場合、慣性モーメントの合計におけるヘッド２の部分は、８８から８５パーセントまで減少する。
【００４１】
シャフト３の質量が、１．５ｋｇまで増加される場合、回転軸４に関する慣性モーメントの合計におけるヘッド２の部分は、ヘッド２の質量が０．２５あるいは０．５ｋｇであると、それぞれ、２８および４３パーセントとなる。
【００４２】
本発明に係るパター１によれば、回転軸４とヘッド２の長手方向軸５との間の距離が、約１２０センチメートルである場合、回転軸４に関するヘッド２の慣性モーメントは、回転軸４に関するパターの慣性モーメントの合計の７９パーセント未満を構成する。慣性モーメントのヘッド２が占める部分は、７５パーセント未満であることが有利である。
【００４３】
図３に示されるパター１のシャフト３は、ウェイト１１が提供される。ウェイト１１は、シャフト３に沿って移動自在に配置され、ヘッド２から所望の距離の位置に取り付けられる。ウェイト１１は、回転軸４に関するパター１の慣性モーメントの合計の一部を構成し、したがって、慣性モーメントの合計におけるヘッド２の占める部分を減少させることに、寄与する。ウェイト１１の慣性モーメントは、ウェイト１１の質量と回転軸４までのそれの距離とにより決定される。このことにより、慣性モーメントの合計におけるヘッド２の占める部分を、ウェイト１１の位置移動によって調整することが可能である。
【００４４】
図４は、パター１の実施の形態を示しており、パター１のシャフト３は、円錐状であり、シャフト３の直径は、その自由端の位置において最大となり、ヘッド２の位置で最小となる。シャフト３は、シャフト３の自由端に、適当なグリップが実際上設けられるが、当該グリップは、示されていない。円錐状シャフト３は、同一質量および同一長の円筒状シャフトにおける場合と異なる、質量分布および慣性モーメントを提供する。回転軸４に関する円錐状シャフト３の慣性モーメントは、対応する円筒状シャフトの場合に比べて低い。これは、シャフトの重心が、シャフト３の自由端のより近くに移動し、このことにより、回転軸４のより近くに移動する事実に、本質的に起因する。慣性モーメントの合計におけるヘッド２の占める部分を維持するために、図４に示されるように、円錐状シャフトが使用される場合、ヘッド２の慣性モーメントは、より小さくする必要がある。パター１のシャフト３は、シャフトが円筒状あるいは円錐状であっても、円形状断面を典型的に有するが、異なる断面形状を使用することも可能である。
【００４５】
図５は、ヘッド２の断面を示しており、シャフト３は、ヘッド２のボア１２に挿入され、弾性材料１３によってヘッド２に固定される。弾性材料１３は、ヘッド２とシャフト３との間の環状スペースに配置される。例えば、弾性材料１３は、シャフト３とヘッド２とに接着されたゴムのリング体とすることが可能である。また、弾性材料１３は、弾性成形材料とすることが可能である。ヘッド２とシャフト３との間に弾性的連結を有することにより、ストロークにおけるシャフト３の質量からの寄与は、減少する。
【図面の簡単な説明】
【００４６】
【図１】円筒状シャフトを有する一般化パターの斜視図を示している。
【図２】図１のパターの正面図を示している。
【図３】シャフトに移動自在のウェイトを有するパターの正面図を示している。
【図４】円錐状シャフトを有するパターの正面図を示している。
【図５】前面および拡大スケールにおける、パターヘッドおよびシャフトの一部に関する断面図を示している。
【図１】
2005538759.tif 000004
【図２】
2005538759.tif 000005
【図３】
2005538759.tif 000006
【図４】
2005538759.tif 000007
【図５】
2005538759.tif 000008
【手続補正書】
【提出日】平成14年11月12日(2002.11.12)
【手続補正１】
【補正対象書類名】特許請求の範囲
【補正対象項目名】全文
【補正方法】変更
【補正の内容】
【特許請求の範囲】
【請求項１】
ゴルフクラブ装置、より詳しくは、パター（１）であり、ヘッド（２）および前記ヘッド（２）に取り付けられるシャフト（３）を有し、前記シャフト（３）の自由端は、グリップを取り付け可能であって、
前記シャフト（３）の長手方向軸（７）に垂直であり、かつ前記ヘッド（２）の長手方向軸（５）から約１２０センチメートルである回転軸（４）に関し、前記パター（１）が回転させられる場合、前記ヘッド（２）の質量慣性モーメントは、前記ヘッド（２）、前記グリップおよび前記シャフト（３）の慣性モーメントの合計の７９パーセント未満を構成しており、および／又は、
前記シャフト（３）の長さによって分割されている前記シャフトの質量は、シャフトの長さが１メートル未満である場合、シャフトのメートル当たり、少なくとも１７０グラムであり、シャフトの長さが１メートル以上である場合、シャフトのメートル当たり、少なくとも１９０グラムである
ことを特徴とするゴルフクラブ装置。
【請求項２】
前記ヘッド（２）の質量慣性モーメントは、前記ヘッド（２）、前記グリップおよび前記シャフト（３）の慣性モーメントの合計の３０パーセントと７５パーセントとの間を、構成することを特徴とする請求項２に記載のゴルフクラブ装置。
【国際調査報告】
2005538759.tif 000009
2005538759.tif 000010
2005538759.tif 000011